(57)【要約】【課題】低振動、低騒音を実現するドラム式洗濯機を提供すること。【解決手段】水槽ユニット３７下部を洗濯機筺体２３の基底部２４から支持する防振ダンパーは、水槽ユニット３７の回転軸方向の重心より前方右側に第一の防振ダンパー２５、後方右側に第二の防振ダンパー２６を配設し、左側に第三の防振ダンパーを配設するとともに、水槽ユニット３７の重量バランスに応じて三つの防振ダンパーの鉛直方向の減衰力をそれぞれ設定し、かつ、第二の防振ダンパー２６を略水平方向に配設することにより、脱水時の水槽ユニット３７の上下振幅を略均一化した構成とすることにより、洗濯機筐体２３の振動を効率的に低減し、低振動、低騒音を実現することができる。【選択図】図１
2017056076.tif 000002
【特許請求の範囲】
【請求項１】
洗濯機筐体と、有底円筒状に形成された水槽と、前記水槽内に配設され、正面側が開口した有底円筒状の回転ドラムと、前記回転ドラムに設けられ、前記水槽に軸支された回転軸と、前記回転軸を介して前記回転ドラムを回転駆動するモータと、前記水槽、回転ドラム、モータ等により構成された水槽ユニットと、前記水槽ユニットを支持する振動減衰用の複数本の防振ダンパーと、を備え、
前記複数本の防振ダンパーは、前記回転ドラムの回転方向側であって、前記水槽ユニットの重心位置より前方側に配設した第一のダンパーと、前記回転ドラムの回転方向側であって、前記水槽ユニットの重心位置より後方側に配設した第二のダンパーと、前記回転ドラムの反回転方向側に配設した第三のダンパーとから構成したドラム式洗濯機。
【請求項２】
前記第二のダンパーを略水平方向に配設した請求項１に記載のドラム式洗濯機。
【請求項３】
第一の防振ダンパー２５と第二の防振ダンパー２６の減衰力の合力の鉛直成分と、第三の防振ダンパー２７の減衰力の鉛直成分が略等しくなるように構成した請求項１または２に記載のドラム式洗濯機。
【発明の詳細な説明】
【技術分野】
【０００１】
本発明は、回転ドラム内に収容した洗濯物を洗濯するドラム式洗濯機に関するものである。
【背景技術】
【０００２】
従来、この種のドラム式洗濯機は、振動を制御するために、水槽下部に防振用のダンパーを設け、その減衰により水槽ユニットの振動を抑制する構成が提案されている（例えば、特許文献１参照）。
【０００３】
図４は、従来のドラム式洗濯機の構成図である。
【０００４】
図４において、洗濯物を収容し回転させる回転ドラム１は、水槽３内に回転自在に配設してあり、水槽３の底部には、回転ドラム１を回転駆動させるモータ５が設けられている。
【０００５】
回転ドラム１の開口部には、蓋体８が開閉自在に設けてある。水槽３は、筺体９との間に設けられたばね体１０により姿勢を保持され、底部に設けた左右一対の防振ダンパー１１により脱水時の振動が筺体９に伝達されないように防振支持されている。また、水槽３前面の衣類投入口と筺体９との間は、隙間を接続するためのシールパッキン７が設けられている。
【０００６】
水槽３には、加速度センサーを用いた振動検知装置６が配設されており、振動検知装置６の出力に応じて、制御手段１３により、モータ５の動作などを制御して、振動を制御するという構成である。
【先行技術文献】
【特許文献】
【０００７】
【特許文献１】特開２０１０−２７７号公報
【発明の概要】
【発明が解決しようとする課題】
【０００８】
しかしながら、前記従来の構成では、洗濯物が多い時には回転ドラム内の全面に洗濯物が拡散され、脱水行程時の水槽の振動も極端には大きくはならないが、回転ドラムの前面側、あるいは中央側などに洗濯物の片寄りがきた場合に、水槽全体は前面側の振動が背面側よりも大きくなり、その振動が筺体を介して、床面に伝達され、製品が大きく揺れることになる。洗濯物の片寄りが回転ドラムの背面側にある場合には、水槽全体の背面側の振動は、減衰され易いが、前面側が軽い状態となって上下に振れやすくなるという課題があった。
【０００９】
本発明は、上記従来の課題を解決するもので、洗濯機筐体の振動を低減し、低振動、低騒音のドラム式洗濯機を提供することを目的としている。
【課題を解決するための手段】
【００１０】
前記従来の課題を解決するために、本発明のドラム式洗濯機は、洗濯機筐体と、有底円筒状に形成された水槽と、前記水槽内に配設され、正面側が開口した有底円筒状の回転ドラムと、前記回転ドラムに設けられ、前記水槽に軸支された回転軸と、前記回転軸を介して前記回転ドラムを回転駆動するモータと、前記水槽、回転ドラム、モータ等により構成
された水槽ユニットと、前記水槽ユニットを支持する振動減衰用の複数本の防振ダンパーと、を備え、前記複数本の防振ダンパーは、前記回転ドラムの回転方向側であって、前記水槽ユニットの重心位置より前方側に配設した第一のダンパーと、前記回転ドラムの回転方向側であって、前記水槽ユニットの重心位置より後方側に配設した第二のダンパーと、前記回転ドラムの反回転方向側に配設した第三のダンパーとから構成したものである。
【００１１】
これによって、洗濯機筐体の振動を低減した低振動、低騒音を実現することができる。
【発明の効果】
【００１２】
本発明のドラム式洗濯機は、洗濯物の片寄り等によって発生した水槽ユニットの振動を抑制し、筐体の振動を効率的に低減し、低振動、低騒音のドラム式洗濯機を提供することができる。
【図面の簡単な説明】
【００１３】
【図１】本発明の実施の形態に係るドラム式洗濯機の縦断面図
【図２】同ドラム式洗濯機の内部正面図
【図３】同ドラム式洗濯機の内部平面図
【図４】従来のドラム式洗濯機の構成図
【発明を実施するための形態】
【００１４】
第１の発明は、洗濯機筐体と、有底円筒状に形成された水槽と、前記水槽内に配設され、正面側が開口した有底円筒状の回転ドラムと、前記回転ドラムに設けられ、前記水槽に軸支された回転軸と、前記回転軸を介して前記回転ドラムを回転駆動するモータと、前記水槽、回転ドラム、モータ等により構成された水槽ユニットと、前記水槽ユニットを支持する振動減衰用の複数本の防振ダンパーと、を備え、前記複数本の防振ダンパーは、前記回転ドラムの回転方向側であって、前記水槽ユニットの重心位置より前方側に配設した第一のダンパーと、前記回転ドラムの回転方向側であって、前記水槽ユニットの重心位置より後方側に配設した第二のダンパーと、前記回転ドラムの反回転方向側に配設した第三のダンパーとから構成したものである。
【００１５】
これにより、洗濯機筐体の振動を効率的に低減し、低振動、低騒音を実現することができる。
【００１６】
第２の発明は、第１の発明の第二のダンパーを、略水平方向に配設したものである。
【００１７】
これにより、回転ドラムの回転方向への洗濯機筐体の振動を効率的に低減し、低振動、低騒音を実現することができる。
【００１８】
第３の発明は、第１または第２の発明において、第一の防振ダンパー２５と第二の防振ダンパー２６の減衰力の合力の鉛直成分と、第三の防振ダンパー２７の減衰力の鉛直成分が略等しくなるように構成したものである。
【００１９】
これにより、洗濯機筐体の振動を効率的に低減し、低振動、低騒音を実現することができる。
【００２０】
以下、本発明の実施の形態について、図面を参照しながら説明する。なお、この実施の形態によって本発明が限定されるものではない。
【００２１】
（実施の形態１）
図１は、本発明の実施の形態に係るドラム式洗濯機の縦断面図、図２は、同ドラム式洗
濯機の内部を正面から見た内部正面図、図３は、同ドラム式洗濯機の内部を上方から見た内部平面図である。
【００２２】
図１、図２および図３において、洗濯機筺体２３（以下、筺体２３と称する）内に水槽１９が配設されている。水槽１９内には、水槽１９に取り付けた軸受けケース３５内部の軸受け３６を介して回転自在に配設されている。回転ドラム１７は、有底円筒形に形成され、外周部に多数の通水孔１８が全周に設けられている。
【００２３】
回転ドラム１７には、回転中心に回転軸（回転中心軸）２０が設けられており、回転ドラム１７の回転軸２０は、正面側から背面側に向けて下向きに傾斜している。回転軸２０には、水槽１９の背面にドラムプーリ２８が連結され、ベルト２９とドラムプーリ２８によりモータ２１が連結され、回転ドラム１７は、モータ２１により正転、逆転方向に回転駆動される。なお、脱水回転方向は、図２に示す正面視で右回転（時計回り）の矢印Ａ方向となっている。また、回転ドラム１７の内壁面には、洗濯物撹拌用の数個の突起板２２が設けられている。
【００２４】
筺体２３の内部上方には、給水弁４２が配され、洗剤ケース４１、および接続ホース４３を介して、槽内へ給水するようになっている。
【００２５】
また、筺体２３の正面側には、洗濯物の取り入れ、取り出しを行なう蓋体３０が開閉自在に設けられている。
【００２６】
そして、上記の回転ドラム１７、水槽１９、モータ２１、軸受けケース１５、ドラムプーリ２８等により、振動系の水槽ユニット３７が構成されている。
【００２７】
水槽ユニット３７は、筐体２３の基底部２４と水槽１９下部との間に、減衰防振用の防振ダンパーが複数個取り付けられ、更に、筺体２３の上面と水槽１９上部との間に、左右一対のばね体３１が設けられ、筐体２３内に揺動自在に弾性的に防振支持される。
【００２８】
図２及び図３に示すように、防振ダンパーは、正面視で水槽１９下部の右側に配置した第一の防振ダンパー２５と第二の防振ダンパー２６、及び水槽１９下部の左側に配置した第三の防振ダンパー２７から構成している。第一の防振ダンパー２５は、水槽ユニット３７の重心Ｇ（図１及び図３を参照）よりも前方に配設され、第二の防振ダンパー２６は、重心Ｇよりも後方に配設され、第三の防振ダンパー２７は、重心Ｇ下方に配設されている。上述した各防振ダンパーと水槽ユニット３７の重心Ｇとの位置関係により、それぞれの防振ダンパーによりバランス良く、水槽ユニット３７を支持し、減衰防振を行なうようになっている。
【００２９】
なお、防振ダンパーの配設位置は、脱水行程時、回転ドラム１７の回転方向を正面視で左回転（反時計回り）（図２に示す矢印Ａとは逆方向）に設定する場合は、前述の回転ドラム１７の回転方向が正面視で右回転（時計回り）のときの防振ダンパーの配置位置と左右対称の位置に配置すればよい。
【００３０】
軸受けケース１５およびモータ２１などの重量の大きい部品は、水槽ユニット３７の背面側に配置されているため、水槽ユニット３７の重心Ｇは、図１に示すように、回転ドラム１７の中心３３よりも後方に位置する。
【００３１】
そのため、回転ドラム１７の前方側に偏荷重が発生した場合、水槽ユニット３７の重心Ｇから偏荷重までの距離が遠くなるため、水槽ユニット３７の前部と後部がそれぞれ上下逆方向に働く首ふり運動が発生しやすい。その首ふり運動を抑制するため、第一の防振ダ
ンパー２５の角度を鉛直方向に近づけている。これにより、首ふり運動を効果的に抑制している。
【００３２】
また、回転ドラム１７の後方側に偏荷重が発生した場合は、水槽ユニット３７の重心Ｇから偏荷重までの距離が近くなるため、水槽ユニット３７は、左右の横揺れ運動が大きくなる。その横揺れ運動を抑制するため、後方に配設した第二の防振ダンパー２６の角度を水平方向に近づけている。これにより、横揺れ運動を効果的に抑制している。
【００３３】
さらに、水槽ユニット３７が振動した際、各防振ダンパー２５、２６、２７から筐体２３の基底部２４に荷重が伝達し、伝達された荷重により筐体２３自身に振動が発生する。防振ダンパー２５、２６、２７から基底部２４伝わる荷重が不均一な場合には、筐体２３の振動が大きくなる。
【００３４】
脱水起動時の筐体２３の振動を抑制するためには、脱水回転の右方向へ振れようとする水槽ユニット３７の左右の振幅を抑えつつ、上下の振幅を水槽ユニット３７全体で均一化することが望ましい。
【００３５】
そのために、第二の防振ダンパー２６は、第二の防振ダンパー２６の角度を略水平に配設することで、水槽ユニット３７が右方向へ振れようとするのを減衰することができる。また、水槽ユニット３７の重量バランスに応じて、第一の防振ダンパー２５、第二の防振ダンパー２６、および、第三の防振ダンパーの鉛直方向の減衰力を設定することにより、上下の振幅を略均一化している。これにより、筐体２３の基底部２４に伝わる荷重が略均一化され、筐体２３の振動を低減することができる。
【００３６】
以上のように構成されたドラム式洗濯機において、以下、その動作、作用を説明する。
【００３７】
蓋体３０を開いて回転ドラム１７内に洗濯物を投入し、運転を開始する。給水が開始され、所定水位まで給水されると、洗い行程では、回転ドラム１７がモータ２１によって低速で回転駆動され、回転ドラム１７内の洗濯物が持ち上げられて水面上に落下される。こうして洗い行程が進行する。そして、洗い行程を所定時間行った後、水槽１９内の洗濯水を排水し、中間脱水を行い、その後のすすぎ行程を行う。
【００３８】
すすぎ行程においても、洗い行程と同様の動作を行う。脱水行程では、回転ドラム１７は高速で回転駆動され、洗濯物は遠心脱水される。
【００３９】
脱水行程時に、回転ドラム１７内に入れられた洗濯物が片寄っている場合、その片寄りを吸収して脱水回転を行えるように、水槽ユニット３７を揺動自在に防振支持して、振動が筺体２３に伝達するのを防止している。洗濯物の片寄りが大きく、筐体に２３に伝達される荷重が左右で不均一であると筐体２３の振動が大きくなり、洗濯機から大きな騒音が発生したり、最悪の場合は洗濯機が移動したりする虞がある。
【００４０】
本実施の形態では、水槽ユニット３７の重心Ｇより前方右側に第一の防振ダンパー２５を、後方右側に第二の防振ダンパー２６を、左側に第三の防振ダンパー２７を配設している。第一の防振ダンパー２５と第二の防振ダンパー２６の減衰力の合力の鉛直成分と、第三の防振ダンパー２７の減衰力の鉛直成分が略等しくなるように調整する。これにより、これらの防振ダンパー２５、２６、２７の鉛直方向の減衰力を略均一化して、筐体２３の基底部２４に伝わる荷重を略均一化し、筐体２３の振動を低減することができる。
【００４１】
さらに、第二の防振ダンパー２６を略水平方向に配設している。これにより、水槽ユニット３７が右方向へ振れようとするのを減衰して、筐体の振動を効率的に低減することが
できる。
【００４２】
以上のように、本実施の形態においては、水槽ユニット３７下部を洗濯機筺体２３の基底部２４から支持する防振ダンパーは、水槽ユニット３７の回転軸方向の重心より前方右側に第一の防振ダンパー２５、後方右側に第二の防振ダンパー２６を配設し、左側に第三の防振ダンパー２７を配設するとともに、水槽ユニット３７の重量バランスに応じて三つの防振ダンパーの鉛直方向の減衰力をそれぞれ設定し、かつ、第二の防振ダンパー２６を略水平方向に配設することにより、脱水時の水槽ユニット３７の上下振幅を略均一化した構成とすることにより、洗濯機筐体２３の振動を効率的に低減し、低振動、低騒音を実現することができる。
【産業上の利用可能性】
【００４３】
以上のように、本発明にかかるドラム式洗濯機は、三つの防振ダンパーを効果的に配設し、それぞれの防振ダンパーの減衰力をバランスよく調整することにより、効率よく水槽ユニットの振動を減衰し、低振動、低騒音を実現することが可能となるので、ドラム式洗濯機以外のその他の脱水機能を有する洗濯機等の用途に適用できる。
【符号の説明】
【００４４】
１７  回転ドラム
１９  水槽
２０  回転軸
２１  モータ
２３  洗濯機筐体
２４  基底部
２５  第一の防振ダンパー
２６  第二の防振ダンパー
２７  第三の防振ダンパー
３１  ばね体
３３  回転ドラムの中心
３７  水槽ユニット
【図１】
2017056076.tif 000003
【図２】
2017056076.tif 000004
【図３】
2017056076.tif 000005
【図４】
2017056076.tif 000006